(57)【特許請求の範囲】
【請求項１】
洗浄槽を有する洗浄機本体と、洗浄槽の上部を開閉する開閉扉とを備え、洗浄槽と開閉扉とにより形成される洗浄室内で食器の洗浄を行う食器洗浄機において、
前記洗浄槽の側壁に固着されるとともに、上水平部、洗浄槽の側壁に固着される固着部及び下水平部を有する断面コ字状に形成されたガイド部材と、
前記ガイド部材の下水平部に掛止されるフィルタ部材とを備え、
前記ガイド部材の下水平部は、前記洗浄槽の内側方向に向かって上水平部よりも水平方向に延出されていることを特徴とする食器洗浄機。
【発明の詳細な説明】
【０００１】
【発明の属する技術分野】
本発明は、洗浄機本体における洗浄槽の側壁に固着されたガイド部材にフィルタ部材を掛止するように構成された食器洗浄機に関し、特に、ガイド部材の断面形状を単純なコ字状に形成することにより、ガイド部材が洗浄槽の内側方向に延びる長さを小さくしてフィルタ部材の濾過面積を増大することが可能であるとともに、ガイド部材の下側に付着するゴミ等の発見を容易にして掃除を簡単に行うことが可能な食器洗浄機に関するものである。
【０００２】
【従来の技術】
従来より提案されている食器洗浄機において、汚れた食器の洗浄中に発生する食物滓等を濾過するフィルタ部材を洗浄機本体の洗浄槽に配置する構成としては各種の構成が存在し、例えば、従来の食器洗浄機においては図９、図１０に示すような構成でフィルタ部材を配置するのが一般的である。
【０００３】
ここで、図９、図１０を参照して従来の食器洗浄機における洗浄機本体の洗浄槽内でフィルタ部材を配置する構成について説明する。図９は従来の食器洗浄機におけるフィルタ部材の配置構成を模式的に示す斜視図、図１０は従来の食器洗浄機におけるフィルタ部材の配置構成を模式的に示す断面図である。
【０００４】
図９、図１０において、食器洗浄機の洗浄機本体１００に設けられた洗浄槽１０１の側壁１０２には、洗浄槽１０１を開閉する開閉扉（図示せず）を閉じる際に開閉扉の下端を当接して衝撃を緩和する２つのストッパ部材１０３が固着されている。かかるストッパ部材１０３は、開閉扉の下端が当接される突起部１０４を有する。
【０００５】
そして、断面視で略Ｌ字形状を有するガイド部材１０５が、各ストッパ部材１０３突起部１０４を介して側壁１０２に水平状態で取り付けられている。ここに、ガイド部材１０５は、内壁１０２と突起部材１０４と間の隙間に配置される係止部１０５Ａ、突起部１０４を挿通する挿通孔１０５Ｂが設けられた上水平部１０５Ｃ、上水平部１０５Ｃの端縁からストッパ部材１０３の長さよりも下方に長く垂下された垂下部１０５Ｄ、垂下部１０５Ｄの下端から水平方向に延出された下水平部１０５Ｅが一体に形成されてなる。上水平部１０５Ｅには、フィルタ部材１０６の耳部１０６Ａが載置され掛止されている。
【０００６】
【発明が解決しようとする課題】
しかしながら、前記した従来の食器洗浄機におけるフィルタ部材１０６の配置構成では、掛止部１０５Ａ、上水平部１０５Ｃ、垂下部１０５Ｄ及び下水平部１０５Ｅから一体に形成され、断面視で略Ｌ字形状を有するガイド部材１０５を使用しているので、掛止部１０５Ａと下水平部１０５Ｅの端部（図１０中、右端部）との間の距離で決定されるガイド部材１０５の水平方向の幅Ｌは、比較的大きなものとなる。従って、ガイド部材１０５の下水平部１０５Ｅに、耳部１０６Ａを介して掛止されるフィルタ部材１０６において形成可能な濾過面積は、ガイド部材１０５の幅Ｌが大きくなる分に応じて狭くなり制限を受けてしまう。かかる場合には、汚れた食器の洗浄中に発生する食物滓等の濾過効率が低下してしまい、フィルタ部材１０６の掃除を頻繁に行わなければならない。
【０００７】
また、図１０に示すように、ガイド部材１０５の垂下部１０５Ｄは、ストッパ部材１０３よりも下方に長く形成されていることから、ストッパ部材１０３の下端と垂下部１０５Ｄの裏側面（図１０中、左側面）との部分は、外部からは見ることができない袋状の死角となる。従って、図１０に示すように、食器の洗浄中に、洗浄槽１０１内の洗浄液が飛散して食物滓等１０７がストッパ部材１０３の下端と垂下部１０５Ｄの裏側面との間に付着した場合、外部から見ることができないことから、食物滓等１０７の存在に気付かずにそのまま食器の洗浄動作を継続してしまう虞がある。かかる場合には、洗浄槽１０１が不衛生となってしまい、また、長い間に食物滓等１０７がストッパ部材１０３や垂下部１０５Ｄに強固に付着してその掃除が困難なものとなる。
【０００８】
本発明は前記従来の問題点を解消するためになされたものであり、ガイド部材の断面形状を単純なコ字状に形成することにより、ガイド部材が洗浄槽の内側方向に延びる長さを小さくしてフィルタ部材の濾過面積を増大することが可能であるとともに、ガイド部材の下側に付着する食物滓等の発見を容易にして掃除を簡単に行うことが可能な食器洗浄機を提供することを目的とする。
【０００９】
【課題を解決するための手段】
前記目的を達成するため請求項１に係る食器洗浄機は、洗浄槽を有する洗浄機本体と、洗浄槽の上部を開閉する開閉扉とを備え、洗浄槽と開閉扉とにより形成される洗浄室内で食器の洗浄を行う食器洗浄機において、前記洗浄槽の側壁に固着されるとともに、上水平部、洗浄槽の側壁に固着される固着部及び下水平部を有する断面コ字状に形成されたガイド部材と、前記ガイド部材の下水平部に掛止されるフィルタ部材とを備え、前記ガイド部材の下水平部は、前記洗浄槽の内側方向に向かって上水平部よりも水平方向に延出されていることを特徴とする。
【００１０】
請求項１の食器洗浄機では、洗浄槽の側壁に固着されるガイド部材の断面形状が、上水平部、固着部及び下水平部からなるシンプルなコ字状に形成されているので、ガイド部材が洗浄槽の内側方向に延びる長さを小さくしてフィルタ部材の濾過面積を増大することが可能となる。これにより、汚れた食器の洗浄中に発生する食物滓等の濾過効率を向上してフィルタ部材の掃除の頻度を低減することができる。また、下水平部の下面に死角を発生することなく、下水平部の下面に付着した食物滓等を外部から容易に発見することを可能として食物滓等の掃除を簡単に行うことができ、また、洗浄槽が不衛生となってしまうことを防止することができる。
【００１１】
また、請求項１に係る食器洗浄機は、前記ガイド部材の下水平部は、前記洗浄槽の内側方向に向かって上水平部よりも水平方向に延出されていることを特徴とする。かかる請求項１の食器洗浄機では、ガイド部材の断面形状をシンプルなコ字状に形成しつつ、下水平部が洗浄槽の内側に向かって上水平部よりも水平方向に延出するように構成したので、下水平部に対してフィルタ部材をセットする際においても上水平部が邪魔になることはなく、従って、下水平部に対してフィルタ部材を容易にセットすることができる。
【００１２】
【発明の実施の形態】
以下、本発明に係る食器洗浄機について、本発明を具体化した実施形態に基づき図面を参照しつつ詳細に説明する。先ず、図１に基づき食器洗浄機の概略構成について説明する。図１は開閉扉を開放した状態を示す食器洗浄機の斜視図である。図１において、食器洗浄機Ｗは洗浄機本体１を備えている。洗浄機本体１は、食器洗浄機Ｗの下部を構成し、その内部には、上洗浄ノズル及び下洗浄ノズルに対して洗浄水を供給するための洗浄水供給管、洗浄ポンプが内設されており、また、上すすぎノズル及び下すすぎノズルに対してすすぎ水を供給するためのすすぎ水供給管、すすぎポンプが内設されている。その他、洗浄機に必要な各種の装置も内設されている。尚、前記各洗浄ノズル、すすぎノズル、その他の構成については、食器洗浄機Ｗにおいて公知であり、従って、ここではこれらの詳細説明については省略する。
【００１３】
洗浄機本体１の背部にはリアパネル２が配設されており、また、リアパネル２の前方側（図１中、紙面の手前側）には左右一対のガイドレール３が立設されている。
【００１４】
洗浄機本体１の上方において、底部が開放されて箱状に形成された開閉扉４が、各ガイドレール３に沿って昇降可能に設けられている。かかる開閉扉４は、その閉塞時に洗浄室を区画するものであり、開閉扉４が閉塞された状態で、上洗浄ノズル、下洗浄ノズルから洗浄水を噴射することにより洗浄機本体１の上部にて平行に配設された複数本のパイプ５をからなるラック載置部上に載置された食器ラック６に収納された食器７の洗浄が行われる。また、図１に示すように、開閉扉４が開放された状態で、食器７を収納した食器ラック６の洗浄室Ｒへのセット及び取出が行われる。
【００１５】
開閉扉４の外側には、リアパネル２の上端部における２箇所に形成された支点８（図１中には、１つの支点８のみを示す）を中心として回動可能なハンドル９が取り付けられている。ハンドル９は、開閉扉４の周囲を囲むように、略「コ」字状に形成されている。ハンドル９の前方側（図１中、左側）には、相互に対向する２箇所にて支点１０（図１中では、１つの支点１０のみを示す）が設けられており、また、同様に、開閉扉４の相互に対向する側壁４Ａ（図１中、一方のみを示す）には支点１１が設けられている。そして、各支点１０と支点１１との間には、リンク１２が連結されている。
【００１６】
前記構成において、開閉扉４を開放するには、ハンドル９を支点８の回りに時計方向に回動する。これにより、ハンドル９は支点８の回りに時計方向に回動され、また、ハンドル９の上昇に対応してリンク１２も時計方向に回動される。この状態でハンドル９を上方に押上げると、開閉扉４は、各ガイドレール３に沿って上方に移動案内され、図１に示す状態まで開放される。また、開閉扉４を閉塞するには、ハンドル９を下方に押し下げると、前記と逆の動作が行われ、これにより開閉扉４は閉塞状態にセットされる。
【００１７】
尚、リアパネル２の上部側方位置に取り付けられているのは操作パネル１３である。かかる操作パネル１３を操作することにより、洗浄動作、すすぎ動作等の動作を行わせることができる。
【００１８】
また、図１において、洗浄機本体１の一部を切り欠いて示すように、洗浄機本体１の内部には洗浄槽２０が設けられており、また、洗浄槽２０の両側壁２１には、断面視で略コ字状を有するガイド部材２２が固着されている。各ガイド部材２２間には、２つのフィルタ部材２３、２３が掛装されている。各フィルタ部材２３は、汚れた食器７の洗浄中に発生する食物滓等を濾過する作用を行うものである。また、右側のフィルタ部材２３には、膨出部２３Ａが形成されており、かかる膨出部２３Ａの下方には、オーバーフローパイプ２５が配置されている。
【００１９】
次に、前記のように構成された食器洗浄機Ｗにおける洗浄機本体１の洗浄槽２０内でフィルタ部材２３を配置する構成について、図２及び図３に基づき説明する。図２は食器洗浄機Ｗにおけるフィルタ部材２３の配置構成を模式的に示す斜視図、図３は食器洗浄機におけるフィルタ部材２３の配置構成を模式的に示す断面図である。尚、図２及び図３では、ガイド部材２２とフィルタ部材２３との配置関係につき洗浄槽２０の片方の側壁２１における配置関係しか示されていないが、かかる配置関係は洗浄槽２０の両側の側壁２１において同一である。
【００２０】
図２及び図３において、洗浄機本体１に設けられた洗浄槽２０の側壁２１には、ガイド部材２２がネジ２４Ａを介して固着されている。このガイド部材２２は、上水平部２２Ａ、上水平部２２Ａの左端部から垂下されて側壁２１に固着される固着部２２Ｂ及び固着部２２Ｂの下端から水平方向に延出された下水平部２２Ｃから一体に構成されており、断面視で略コ字状に形成されている。また、フィルタ部材２３の側部には、ガイド部材２２の下水平部２２Ｃに載置されて掛止される耳部２３Ａが形成されている。
【００２１】
ここに、固着部２２Ｂの外側面（固着面）と上水平部２２Ａの外側端部（左側端部）との間の距離で決定される上水平部２２Ａの幅Ｍは、固着部２２Ｂの外側面と下水平部２２Ｃの外側端部（左側端部）との間の距離で決定される下水平部２２Ｃの幅Ｎよりも小さく形成されている。換言すれば、下水平部２２Ｃは、洗浄槽２０の内側方向に向かって上水平部２２Ａよりも水平方向に延出されていることとなる。
【００２２】
前記した上水平部２２Ａの幅Ｍと下水平部２２Ｃの幅Ｎとの関係から、ガイド部材２２の幅は、下水平部２２Ｃの幅Ｎで決定されるが、かかる幅Ｎは、前記したようにガイド部材２２がシンプルなコ字状に形成されているので小さくなり、これよりガイド部材２２が洗浄槽２０の内側方向に延びる長さを小さくしてフィルタ部材２３の濾過面積を増大することが可能となる。これに基づき、汚れた食器の洗浄中に発生する食物滓等を濾過するフィルタ部材２３の濾過効率を向上してフィルタ部材２３の掃除の頻度を低減することができる。
【００２３】
また、下水平部２２Ｃの幅Ｎが小さくなることに基づき、下水平部２２Ｃの下面に死角を発生することなく、下水平部２２Ｃの下面に付着した食物滓等２４を外部から容易に発見することを可能として食物滓等２４の掃除を簡単に行うことができ、また、洗浄槽２０が不衛生となってしまうことを防止することができる。
【００２４】
更に、ガイド部材２２の断面形状をシンプルなコ字状に形成しつつ、下水平部２２Ｃが洗浄槽２０の内側に向かって上水平部２２Ａよりも水平方向に延出するように構成されているので、下水平部２２Ｃに対してフィルタ部材２３の耳部２３Ａをセットする際においても上水平部２２Ａが邪魔になることはなく、従って、下水平部２２Ｃに対してフィルタ部材２３を容易にセットすることができる。
【００２５】
また、開閉扉４を介して洗浄槽２０を閉塞して食器ラック６内の食器７の洗浄を行う場合、開閉扉４の下端４Ａは、図３に示すように上水平部２２Ａに近接するが、このとき、上水平部２２Ａは、開閉扉４の外側面と洗浄槽２０の内側側壁２１との間に形成される隙間から洗浄水が外部に飛散してしまうことを確実に防止する。
【００２６】
次に、オーバーフローパイプ２５の構成について図１、図４乃至図６に基づき説明する。図４はオーバーフローパイプ２５の分解斜視図、図５はオーバーフローパイプ２５の下端部と排水管との接続構造の一部を省略して示す説明図、図６はオーバーフローパイプ２５の作用を説明する説明図である。
【００２７】
オーバーフローパイプ２５は、洗浄槽２０の底壁２６（図１参照）に配設されたフランジ部材２７（図１参照）に立設されている。かかるオーバーフローパイプ２５は、図４に示すように、ステンレス製のパイプ部材２８、パイプ部材２８の上端部に固着された板状部材２９及び板状部材２９の締結孔３０に挿通されたネジ３１を介して板状部材２９に締結固定される把持部材３２とから構成されている。
【００２８】
ここに、パイプ部材２８の上端部の周囲には、洗浄水をオーバーフローさせる複数の排水孔３３が形成されており、また、パイプ部材２８の下端部には、テーパ部３４が形成されている。テーパ部３４は、図５に示すように、フランジ部材２７に配設された合成樹脂製の排水管３５の排水口３６に嵌合される。かかる排水口３６の周囲には、パイプ部材２８のテーパ部３４のテーパ形状と合致するテーパ部３７が形成されている。かかるテーパ部３７は、パイプ部材２８がステンレス製であり、また、排水管３５が合成樹脂製であることから、排水管３５を合成樹脂材から射出成形した後に、パイプ部材２８のテーパ部３４のテーパ形状に合致するように排水口３６の上端部内周面に切削加工が施されている。これにより、パイプ部材２８のテーパ部３４と排水管３５のテーパ部３７とは、直接密着してシール構造を構成する。このようにパイプ部材２８と排水管３５との間で直接シール構造を形成したので、両者の物理的特性に基づき洗浄水の温度による影響、アルカリや油脂等による影響を受けることなく安定的にシールすることができ、更に、両者の間でぐらつきが発生することを防止できるので、図６に示すように、排水孔３３からオーバーフローする洗浄水の水位Ｓを一定に保持することができ、この結果、洗浄槽２０内における洗浄水の水位Ｓを一定に保持することができる。
【００２９】
尚、把持部材３２は、オーバーフローパイプ２５を排水管３５から引き抜く際に、手で把持されるものである。
【００３０】
以上説明した通り本実施形態に係る食器洗浄機Ｗでは、ガイド部材２２における上水平部２２Ａの幅Ｍと下水平部２２Ｃの幅Ｎとの関係から、下水平部２２Ｃの幅Ｎで決定されるガイド部材２２の幅は、ガイド部材２２がシンプルなコ字状に形成されていることから小さくなり、これよりガイド部材２２が洗浄槽２０の内側方向に延びる長さを小さくしてフィルタ部材２３の濾過面積を増大することが可能となる。これに基づき、汚れた食器の洗浄中に発生する食物滓等を濾過するフィルタ部材２３の濾過効率を向上してフィルタ部材２３の掃除の頻度を低減することができる。
【００３１】
また、下水平部２２Ｃの幅Ｎが小さくなることに基づき、下水平部２２Ｃの下面に死角を発生することなく、下水平部２２Ｃの下面に付着した食物滓等２４を外部から容易に発見することを可能として食物滓等２４の掃除を簡単に行うことができ、また、洗浄槽２０が不衛生となってしまうことを防止することができる。
【００３２】
更に、ガイド部材２２の断面形状をシンプルなコ字状に形成しつつ、下水平部２２Ｃが洗浄槽２０の内側に向かって上水平部２２Ａよりも水平方向に延出するように構成されているので、下水平部２２Ｃに対してフィルタ部材２３の耳部２３Ａをセットする際においても上水平部２２Ａが邪魔になることはなく、従って、下水平部２２Ｃに対してフィルタ部材２３を容易にセットすることができる。
【００３３】
また、開閉扉４を介して洗浄槽２０を閉塞して食器ラック６内の食器７の洗浄を行う場合、開閉扉４の下端４Ａは、図３に示すように上水平部２２Ａに近接するが、このとき、上水平部２２Ａは、開閉扉４の外側面と洗浄槽２０の内側側壁２１との間に形成される隙間から洗浄水が外部に飛散してしまうことを確実に防止する。
【００３４】
尚、前記実施形態に係る食器洗浄機Ｗにおいて、開閉扉４のバネ付勢機構は、本出願人の出願に係る特願平１０−９０１５０号の明細書及び図面（特開平１１−２８５４６４号公報）に記載されたバネ付勢機構と同一の機構を採用しているが、本願発明が所謂アンダーカウンタタイプの食器洗浄機に採用された場合には、例えば図７及び図８に示すようなバネ付勢機構を採用してもよい。
【００３５】
図７はアンダーカウンタタイプの食器洗浄機においてバネ付勢機構により開閉ドアが閉じられた状態を模式的に示す説明図、図８はバネ付勢機構により開閉扉が開放された状態を取り出して模式的に示す説明図である。
【００３６】
図７及び図８において、アンダーカウンタタイプの食器洗浄機４０の前面側（図７中、左側）には、その上部に上前面パネル４１、その下部に下前面パネル４２が固設されている。また、上前面パネル４１と下前面パネル４２との間には、開閉扉４３が配置されている。更に、開閉扉４３と下前面パネル４２との間にはバネ付勢機構４４が設けられている。
【００３７】
バネ付勢機構４４は、側面視で略Ｌ字状の作動片４５を有しており、この作動片４５の左側端部４５Ａは下前面パネル４２の上部にて軸４６を介して回動可能に支持されており、また、作動片４５の上側端部４５Ｂは開閉扉４３に固定されている。更に、作動片４５における左側端部４５Ａと右側端部４５Ｃとの略中間位置に存在する固定点Ｐには、付勢バネ４７の一端が固定されており、かかる付勢バネ４７の他端は食器洗浄機４０の底部４０Ａにおける固定点Ｑに固定されている。
【００３８】
前記バネ付勢機構４４において、固定点Ｐと固定点Ｑは、図７に示すように、水平方向に距離Ｒだけずれている。このように位置関係に基づき、軸４６、固定点Ｐ及び固定点Ｑで形成される角度Ｘは、鈍角となる。このとき、付勢バネ４７は若干伸張した状態にあり、これに伴いその張力（付勢力）は増大した状態にある。このように増大した張力に基づき付勢バネ４７は開閉扉４３を閉じた状態に保持している。
【００３９】
そして、図７の状態から付勢バネ４７の付勢力に抗して開閉扉４３を開放していくと付勢バネ４７は除々に伸張していき、開閉扉４３が閉状態から略４５度まで開放された時点で軸４６、固定点Ｐ及び固定点Ｑで形成される角度Ｘは略９０度（直角）となる。このように角度Ｘが略９０度になった時点で付勢バネ４７の張力は開閉扉４３に対して最大に作用する。更に、開閉扉４３を開放していくと、付勢バネ４７は更に伸張するとともに、角度Ｘは９０度から鋭角に転じ除々に小さくなっていく。このように角度Ｘが除々に小さくなっていくに従って付勢バネ４７は伸張されていくものの、付勢バネ４７が開閉扉４３に対して作用する力は除々に小さくなっていき、開閉扉４３は図８に示す状態まで開放される。尚、図８に示す開閉扉４３の開放状態から図７に示す閉状態まで開閉扉４３を閉じていく場合には、前記した動作と逆の動作が行われる。
【００４０】
前記した開閉扉４３の開放動作に基づけば、開閉扉４３の開放に要する力は、閉状態から４５度まで開放していく間には除々に大きくなっていき、開閉扉４３が４５度を越えて水平状態まで開放していく間には除々に小さくなっていく。また、開放状態から開閉扉４３を閉じる場合、開閉扉４３に作用する力は、前記とは逆の関係となり、小さい状態から除々に大きくなり、この後除々に小さくなっていく。
【００４１】
前記したように、開閉扉４３の開閉時に、開閉扉４３を開放する力（作用する力）は、開閉扉４３が略４５度開放した状態で最大となり、その前後では小さくなるので、開閉扉４３が急激に開放したり、閉じたりすることを確実に防止することができる。従って、開閉扉４３の開閉時に、開閉扉４３が扉ストッパ（図示せず）に当接する際の衝撃を緩和することができ、これより衝撃音を小さくして開閉扉４３の寿命を長くすることができる。
【００４２】
本発明は前記実施形態に限定されるものではなく、本発明の要旨を逸脱しない範囲内で種々の改良、変形が能であることは勿論である。
【００４３】
【発明の効果】
以上説明した通り本発明は、ガイド部材の断面形状を単純なコ字状に形成することにより、ガイド部材が洗浄槽の内側方向に延びる長さを小さくしてフィルタ部材の濾過面積を増大することが可能であるとともに、ガイド部材の下側に付着する食物滓等の発見を容易にして掃除を簡単に行うことが可能な食器洗浄機を提供することができる。
【図面の簡単な説明】
【図１】  開閉扉を開放した状態を示す食器洗浄機の斜視図である。
【図２】  食器洗浄機におけるフィルタ部材の配置構成を模式的に示す斜視図である。
【図３】  食器洗浄機におけるフィルタ部材の配置構成を模式的に示す断面図である。
【図４】  オーバーフローパイプの分解斜視図である。
【図５】  オーバーフローパイプの下端部と排水管との接続構造の一部を省略して示す説明図である。
【図６】  オーバーフローパイプの作用を説明する説明図である。
【図７】  アンダーカウンタタイプの食器洗浄機においてバネ付勢機構により開閉ドアが閉じられた状態を模式的に示す説明図である。
【図８】  バネ付勢機構により開閉扉が開放された状態を取り出して模式的に示す説明図である。
【図９】 従来の食器洗浄機におけるフィルタ部材の配置構成を模式的に示す斜視図である。
【図１０】 従来の食器洗浄機におけるフィルタ部材の配置構成を模式的に示す断面図である。
【符号の説明】
１・・・洗浄機本体、４・・・開閉扉、６・・・食器ラック、７・・・食器、２０・・・洗浄槽、２１・・・洗浄槽の側壁、２２・・・ガイド部材、２２Ａ・・・上水平部、２２Ｂ・・・固着部、２２Ｃ・・・下水平部、２３・・・フィルタ部材、２３Ａ・・・耳部、Ｗ・・・食器洗浄機
【図１】
0004705728.tif 000002
【図２】
0004705728.tif 000003
【図３】
0004705728.tif 000004
【図４】
0004705728.tif 000005
【図５】
0004705728.tif 000006
【図６】
0004705728.tif 000007
【図７】
0004705728.tif 000008
【図８】
0004705728.tif 000009
【図９】
0004705728.tif 000010
【図１０】
0004705728.tif 000011